(57)【要約】【課題】適切に貨幣を出金することが可能な貨幣処理装置、貨幣処理システム、および、貨幣処理方法を提供すること。【解決手段】貨幣処理装置１００が、貨幣の量である第１の量Ａ１が入力される入力部１０と、第１の量Ａ１に基づいて、所定単位量Ａの整数倍である第２の量Ａ２と、所定単位量Ａよりも小さい第３の量Ａ３とを設定する処理部２２と、第２の量Ａ２の貨幣を所定単位量Ａ毎に束ねられた状態で出金し、第３の量Ａ３の貨幣をばらばらな状態で出金する出金部３０と、を備える。【選択図】図１
2019200476.tif 000002
【特許請求の範囲】
【請求項１】
貨幣の量である第１の量が入力される入力部と、
前記第１の量に基づいて、所定単位量の整数倍である第２の量と、前記所定単位量よりも小さい第３の量とを設定する処理部と、
前記第２の量の前記貨幣を前記所定単位量毎に束ねられた状態で出金し、前記第３の量の前記貨幣をばらばらな状態で出金する出金部と、を備える貨幣処理装置。
【請求項２】
前記出金部は、前記貨幣をばらばらな状態で出金できるか否かにかかわらず、束ねられた状態の貨幣のみを出金する請求項１に記載の貨幣処理装置。
【請求項３】
前記出金部は、前記第２の量の貨幣を出金するが、前記第３の量の貨幣を出金しない請求項２に記載の貨幣処理装置。
【請求項４】
前記第１の量から前記第２の量のうち前記第１の量に最も近い第４の量を減算した値である第１の差が所定の第１の閾値未満、かつ、前記第１の閾値よりも小さい所定の第２の閾値以上である場合、前記処理部は、前記第４の量を前記第２の量に設定し、零を前記第３の量に設定する請求項１に記載の貨幣処理装置。
【請求項５】
前記第１の差が前記第１の閾値以上である場合、前記処理部は、前記第４の量を前記第２の量に設定し、前記第１の差を前記第３の量に設定する請求項４に記載の貨幣処理装置。
【請求項６】
前記第１の差が前記第２の閾値未満である場合、前記処理部は、前記第４の量から前記所定の単位量を減算した量を前記第２の量に設定し、前記所定の単位量と前記第１の差との和を前記第３の量に設定する請求項４または５に記載の貨幣処理装置。
【請求項７】
前記入力部には、前記第１の閾値および前記第２の閾値の各設定値が入力され、前記処理部は、前記各設定値に基づいて前記第１の閾値および前記第２の閾値を設定する請求項４〜６の何れか１項に記載の貨幣処理装置。
【請求項８】
前記処理部は、前記貨幣の種類ごとに前記第１の閾値および前記第２の閾値を設定する請求項７に記載の貨幣処理装置。
【請求項９】
前記第１の量から前記第２の量のうち前記第１の量に最も近い第４の量を減算した値である第１の差が所定の第１の閾値未満、かつ、前記第１の閾値よりも小さい所定の第２の閾値以上である場合、前記出金部は、前記第４の量の前記貨幣を前記所定単位量毎に束ねられた状態で出金し、ばらばらな状態の前記貨幣を出金しない請求項１に記載の貨幣処理装置。
【請求項１０】
前記第１の差が前記第１の閾値以上である場合、前記出金部は、前記第４の量の前記貨幣を前記所定単位量毎に束ねられた状態で出金し、前記第１の差の前記貨幣をばらばらな状態で出金する請求項９に記載の貨幣処理装置。
【請求項１１】
前記第１の差が前記第２の閾値未満である場合、前記処理部は、前記第４の量から前記所定の単位量を減算した量の前記貨幣を前記所定単位量毎に束ねられた状態で出金し、前記所定の単位量と前記第１の差との和の量の前記貨幣をばらばらな状態で出金する請求項９または１０に記載の貨幣処理装置。
【請求項１２】
前記処理部は、第１のモード、および、第２のモードを前記出金部に択一的に実行させ、
前記第１のモードは、前記第１の量から前記第２の量のうち前記第１の量に最も近い第４の量を減算した値である第１の差が所定の第１の閾値未満、かつ、前記第１の閾値よりも小さい所定の第２の閾値以上である場合、前記第４の量の前記貨幣を前記所定単位量毎に束ねられた状態で出金し、ばらばらな状態の前記貨幣を出金しないモードであり、
前記第２のモードは、前記第１の差の大きさにかかわらず、前記第１の量が前記第４の量以上である場合、前記第４の量の前記貨幣を前記所定単位量毎に束ねられた状態で出金し、前記第１の差の量の貨幣をばらばらな状態で出金し、前記第１の量が前記第４の量未満である場合、前記第４の量から前記所定の単位量を減算した量の前記貨幣を前記所定単位量毎に束ねられた状態で出金し、前記所定の単位量と前記第１の差との和の量の前記貨幣をばらばらな状態で出金するモードである請求項１に記載の貨幣処理装置。
【請求項１３】
前記処理部は、前記貨幣の種類ごとに前記第１のモード、および、前記第２のモードを前記出金部に択一的に実行させる請求項１２に記載の貨幣処理装置。
【請求項１４】
前記処理部は、前記入力部に前記第１の量が入力されるごとに、前記第１のモード、および、前記第２のモードを前記出金部に択一的に実行させる請求項１２または１３に記載の貨幣処理装置。
【請求項１５】
前記第１の量と前記出金部から出金される前記貨幣の量とが異なる場合、前記第１の量と前記出金部から出金される前記貨幣の量とが異なることを通知する通知部をさらに備える請求項１〜１４の何れか１項に記載の貨幣処理装置。
【請求項１６】
前記第１の差が零よりも小さく前記第２の閾値以上である場合、前記通知部は、前記第１の差の絶対値の量を通知する請求項１５に記載の貨幣処理装置。
【請求項１７】
貨幣の量である第１の量が入力される入力部、前記第１の量に基づいて、所定単位量の整数倍である第２の量および前記所定単位量よりも小さい第３の量を設定する処理部、ならびに、前記第２の量および前記第３の量を出力する出力部、を備える処理装置と、
前記出力部から出力された前記第２の量の前記貨幣を前記所定単位量毎に束ねられた状態で出金する第１の出金装置と、
前記出力部から出力された前記第３の量の前記貨幣をばらばらな状態で出金する第２の出金装置と、
を有する貨幣処理システム。
【請求項１８】
貨幣の量である第１の量が入力されるステップと、
前記第１の量に基づいて、所定単位量の整数倍である第２の量と、前記所定単位量よりも小さい第３の量とを設定するステップと、
前記第２の量の前記貨幣を前記所定単位量毎に束ねられた状態で出金し、前記第３の量の前記貨幣をばらばらな状態で出金するステップと、
を含む貨幣処理方法。
【発明の詳細な説明】
【技術分野】
【０００１】
本発明は、貨幣処理装置、貨幣処理システム、および、貨幣処理方法に関するものである。
【背景技術】
【０００２】
従来、釣銭機、両替機などへの補充用の貨幣を出金する貨幣出金機が知られている。特許文献１には、釣銭機などから通知された貨幣の量を所定の処理単位の量の倍数の量に換算し、換算した量の貨幣を、所定の処理単位の量ごとに束ねられた状態で出金する貨幣出金機が記載されている。
【先行技術文献】
【特許文献】
【０００３】
【特許文献１】特開２０１２−０７８８７８号公報
【発明の概要】
【発明が解決しようとする課題】
【０００４】
しかし、貨幣出金機には、束ねられた状態の貨幣のみを出金、あるいは、束ねられた状態の貨幣とばらばらの状態の貨幣とを出金するなど、状況に応じて、適切に貨幣を出金することが求められる。
【０００５】
本発明は、適切に貨幣を出金することが可能な貨幣処理装置、貨幣処理システム、および、貨幣処理方法を提供することを目的とする。
【課題を解決するための手段】
【０００６】
本発明の貨幣処理装置は、貨幣の量である第１の量が入力される入力部と、第１の量に基づいて、所定単位量の整数倍である第２の量と、所定単位量よりも小さい第３の量とを設定する処理部と、第２の量の貨幣を所定単位量毎に束ねられた状態で出金し、第３の量の貨幣をばらばらな状態で出金する出金部と、を備える。
【０００７】
また、本発明の貨幣処理システムは、貨幣の量である第１の量が入力される入力部、第１の量に基づいて、所定単位量の整数倍である第２の量および所定単位量よりも小さい第３の量を設定する処理部、ならびに、第２の量および第３の量を出力する出力部、を備える処理装置と、出力部から出力された第２の量の貨幣を所定単位量毎に束ねられた状態で出金する第１の出金装置と、出力部から出力された第３の量の貨幣をばらばらな状態で出金する第２の出金装置と、を有する。
【０００８】
また、本発明の貨幣処理方法は、貨幣の量である第１の量が入力されるステップと、第１の量に基づいて、所定単位量の整数倍である第２の量と、所定単位量よりも小さい第３の量とを設定するステップと、第２の量の貨幣を所定単位量毎に束ねられた状態で出金し、第３の量の貨幣をばらばらな状態で出金するステップと、を含む。
【発明の効果】
【０００９】
本発明の貨幣処理装置、貨幣処理システム、および、貨幣処理方法によれば、適切に貨幣を出金することが可能である。
【図面の簡単な説明】
【００１０】
【図１】貨幣処理装置の各部の機能の一例を示すブロック図
【図２】実施の形態１に係る出金処理の流れを示すフローチャート
【図３】実施の形態２に係る出金処理の流れを示すフローチャート
【図４】実施の形態３に係る出金処理の流れを示すフローチャート
【発明を実施するための形態】
【００１１】
以下、本発明の実施の形態に係る貨幣処理装置について、図面を参照しながら説明する。貨幣処理装置は、例えば、釣銭機や両替機などの貨幣収納機に補充するための硬貨または紙幣を出金する装置である。ただし、以下では、硬貨を出金する装置を例に貨幣処理装置の説明を行う。
【００１２】
（実施の形態１）
貨幣処理装置は、硬貨を収納する収納部を有する。収納部は、例えば、セロファンなどのシートで所定の枚数ごとに束ねられた状態の硬貨を収納する収納領域と、ばらばらの状態の硬貨を収納する収納領域とを備える。
【００１３】
図１は、実施の形態１に係る貨幣処理装置１００の各部の機能の一例を示すブロック図である。貨幣処理装置１００は、入力部１０と、制御部２０と、出金部３０と、を有する。
【００１４】
入力部１０は、各種の情報が入力される入力装置である。入力部１０は、例えば、タッチパネルにより構成される。入力部１０には、釣銭機や両替機などの貨幣収納機に補充されるべき硬貨の種類および枚数などの情報が入力される。
【００１５】
貨幣収納機に補充されるべき硬貨の枚数とは、貨幣収納機に収納されている所定の硬貨の収納状態をフル状態またはニアフル状態にするために必要な硬貨の枚数である。ここで、フル状態とは、貨幣収納機が所定の硬貨を収納可能限度まで収納している状態をいい、ニアフル状態とは、貨幣収納機が所定の硬貨を収納可能限度に近い状態まで収納している状態をいう。
【００１６】
なお、入力部１０は、タッチパネルに限られず、バーコードの読み取り装置などであってもよい。
【００１７】
入力部１０がバーコードの読み取り装置である場合、入力部１０は、釣銭機などの貨幣収納機で発行される札に印字されたバーコードを読み取る。バーコードには、貨幣収納機に補充されるべき硬貨の種類および枚数に関する情報が埋め込まれており、入力部１０がこれを読み取ることによって、バーコードに埋め込まれた情報が貨幣処理装置１００に入力される。
【００１８】
また、貨幣収納機が、貨幣収納機に補充されるべき硬貨の種類および枚数に関する情報をＩＣタグに書き込み、入力部１０がＩＣタグに書き込まれたこれらの情報を非接触で読み取るようにしてもよい。入力部１０がＩＣタグに書き込まれた情報を読み取ることによって、貨幣収納機に補充されるべき硬貨の情報が貨幣処理装置１００に入力される。
【００１９】
また、貨幣処理装置１００と貨幣収納機とがネットワークで接続されている場合、貨幣収納機から貨幣収納機に補充されるべき硬貨の種類および枚数に関する情報がネットワークを介して入力部１０に入力されてもよい。
【００２０】
入力部１０に入力された情報は、制御部２０に送信される。
【００２１】
制御部２０は、貨幣処理装置１００の各部を制御する制御装置であり、ＣＰＵ、メモリなどのハードウェアによって構成される。制御部２０は、入力部１０に入力された硬貨の種類および枚数などの情報に基づいて、出金部３０から出金される硬貨の種類および枚数を決定し、当該決定した種類および枚数の硬貨を出金部３０に出金させる出金処理を実行する。
【００２２】
出金処理では、所定の条件が満たされた場合に、入力部１０から入力された硬貨の枚数を所定単位量の整数倍の量に置き換える端数処理が実行され、当該所定単位量の整数倍の量の硬貨が束ねられた状態で出金される。これについては、後に詳しく説明する。
【００２３】
制御部２０は、記憶部２１および処理部２２を備える。
【００２４】
記憶部２１は、貨幣処理装置１００に収納されている硬貨の在高、貨幣処理装置１００に収納されている各種硬貨の枚数などを記憶する。また、記憶部２１は、出金処理で用いられる各種情報を記憶する。
【００２５】
処理部２２は、入力部１０に入力される情報および記憶部２１に記憶される情報に基づいて出金処理を実行する。また、処理部２２は、所定の制御プログラムに基づいて、出金部３０を制御する。
【００２６】
出金部３０は、出金処理において決定された量の硬貨を出金する出金装置である。出金部３０は、束ねられた状態の硬貨およびばらばらの状態の硬貨を出金する。出金部３０は、束ねられた状態の硬貨を出金する出金機構およびばらばらの状態の硬貨を出金する出金機構を有する。これらの出金機構は、互いに共通の出金口に硬貨を投出する構成であっても、それぞれ別の出金口に硬貨を投出する構成であってもよい。例えば、出金部３０は、束ねられた状態の硬貨を出金する第１の出金部と、ばらばらの状態の硬貨を出金する第２の出金部とを備えていてもよい。
【００２７】
次に、実施の形態１に係る貨幣処理装置１００が実行する出金処理について説明する。
【００２８】
まず、出金処理において用いられる各種変数について説明する。出金処理では、変数として、所定単位量Ａ、第１の量Ａ１、第２の量Ａ２、第３の量Ａ３、第４の量Ａ４、第１の差Ｄ１、第１の閾値Ｔ１および第２の閾値Ｔ２が用いられる。なお、これらの各種変数は、全ての実施の形態において共通に用いられる。
【００２９】
所定単位量Ａは、束ねられた状態の硬貨の枚数を示す量である。所定単位量Ａは、例えば、５０である。すなわち、所定単位量Ａが５０である場合、硬貨は５０枚ごとに束ねられる。所定単位量Ａは、硬貨の種類ごとに異なる量であってもよい。例えば、１０円硬貨の所定単位量Ａが５０であり、１円硬貨の所定単位量Ａが１００であってもよい。
【００３０】
第１の量Ａ１は、入力部１０に入力される硬貨の量である。また、第１の量Ａ１は、貨幣収納機に収納されている所定の硬貨をフル状態またはニアフル状態にする硬貨の量である。例えば、入力部１０には、第１の量Ａ１として、１２０、１０５、９５、８０などの値が入力される。
【００３１】
第２の量Ａ２は、所定単位量Ａの整数倍の量である。所定単位量Ａが５０である場合、第２の量Ａ２は、５０、１００、１５０などの量である。
【００３２】
第３の量Ａ３は、所定単位量Ａよりも小さい量である。
【００３３】
第４の量Ａ４は、第２の量Ａ２のうち第１の量Ａ１に最も近い量である。例えば、所定単位量Ａが５０であり、第１の量Ａ１が１２０である場合、第４の量Ａ４は、１００である。
【００３４】
第１の差Ｄ１は、第１の量Ａ１から第４の量Ａ４を減算した量である。換言すれば、第１の差Ｄ１は、入力部１０に入力された硬貨の量から当該硬貨の量に最も近い所定単位量Ａの整数倍の量を減算した量である。例えば、入力部１０に第１の量Ａ１として１２０が入力された場合、第４の量Ａ４は１００であり、第１の差Ｄ１は２０である。
【００３５】
第１の閾値Ｔ１および第２の閾値Ｔ２は、第１の差Ｄ１と比較されるために設定される値である。また、第２の閾値Ｔ２は、第１の閾値Ｔ１よりも小さい値である。第１の閾値Ｔ１および第２の閾値Ｔ２の各値は入力部１０から入力され、記憶部２１の所定の記憶領域に記憶される。また、第１の閾値Ｔ１および第２の閾値Ｔ２の各値は、硬貨の種類ごとに設定可能である。
【００３６】
次に、実施の形態１に係る貨幣処理装置１００で実行される出金処理の流れについて説明する。図２は、実施の形態１に係る出金処理の流れを示すフローチャートである。
【００３７】
処理部２２は、例えば、入力部１０の所定の入力ボタンが操作されることにより、出金処理を開始する。
【００３８】
出金処理が開始されると、処理部２２は、硬貨の種類および第１の量Ａ１を示す情報を受け付ける受付処理を実行する（ステップＳ１０）。
【００３９】
受付処理では、処理部２２は、例えば、タッチパネルで構成される入力部１０に硬貨の種類および枚数を入力可能な入力ボタンを表示させる。入力部１０において入力ボタンが操作されることにより、貨幣処理装置１００は、貨幣収納機に補充されるべき硬貨の種類および第１の量を示す情報を受け付けることができる。
【００４０】
次に、処理部２２は、所定単位量Ａの設定を行う（ステップＳ２０）。処理部２２は、例えば、記憶部２１に記憶されている所定の値を読み出し、当該読み出した値を所定単位量Ａに設定する。
【００４１】
次に、処理部２２は、第４の量Ａ４を算出する（ステップＳ３０）。上述したように、第４の量Ａ４は、第２の量Ａ２のうち第１の量Ａ１に最も近い量である。よって、第４の量Ａ４は、第２の量Ａ２および第１の量Ａ１に基づいて算出される。
【００４２】
次に、処理部２２は、第１の差Ｄ１を算出する（ステップＳ４０）。上述したように、第１の差Ｄ１は、第１の量Ａ１から第４の量Ａ４を減算した量である。よって、第１の差Ｄ１は、第１の量Ａ１および第４の量Ａ４に基づいて算出される。
【００４３】
次に、処理部２２は、第１の閾値Ｔ１および第２の閾値Ｔ２を設定する（ステップＳ５０）。処理部２２は、例えば、記憶部２１に記憶されている所定の設定値を読み出し、当該読み出した設定値を第１の閾値Ｔ１および第２の閾値Ｔ２に設定する。処理部２２は、入力部１０に入力された硬貨の種類に対応する設定値を読み出し、当該読み出した設定値を第１の閾値Ｔ１および第２の閾値Ｔ２に設定する。
【００４４】
次に、処理部２２は、第１の差Ｄ１が第１の閾値Ｔ１未満、かつ、第２の閾値Ｔ２以上であるか否かを判定する（ステップＳ６０）。
【００４５】
第１の差Ｄ１が第１の閾値Ｔ１未満、かつ、第２の閾値Ｔ２以上である場合（ステップＳ６０においてＹｅｓの場合）、処理部２２は、第２の量Ａ２に第４の量Ａ４を設定する。また、処理部２２は、第３の量Ａ３に０を設定する（ステップＳ７０）。すなわち、第１の差Ｄ１が第１の閾値Ｔ１未満、かつ、第２の閾値Ｔ２以上である場合、処理部２２は、入力部１０から入力された第１の量Ａ１の端数処理を実行する（ただし、第１の差Ｄ１が０である場合を除く。）。
【００４６】
次に、処理部２２は、束ねられた状態の第２の量Ａ２の硬貨と、ばらばらの状態の第３の量Ａ３の硬貨とを出金部３０に出金させる（ステップＳ８０）。すなわち、処理部２２は、出金部３０の出金機構を作動させ、収納部に収納された束ねられた状態の硬貨とばらばらの状態の硬貨とを出金部３０に出金させる。処理部２２は、出金部３０に硬貨を出金させた後、出金処理を終了する。
【００４７】
なお、端数処理が実行される場合、出金部３０は、ばらばらの状態の硬貨を出金しない。換言すれば、出金部３０は、ばらばらな状態の硬貨を出金できる状態であっても、束ねられた状態の硬貨のみを出金する。
【００４８】
第１の差Ｄ１が第１の閾値Ｔ１未満、かつ、第２の閾値Ｔ２以上でない場合（ステップＳ６０においてＮｏの場合）、処理部２２は、第１の差Ｄ１が第１の閾値Ｔ１以上であるか否かを判定する（ステップＳ９０）。第１の差Ｄ１が第１の閾値Ｔ１以上である場合（ステップＳ９０においてＹｅｓの場合）、処理部２２は、第２の量Ａ２に第４の量Ａ４を設定し、第３の量Ａ３に第１の差Ｄ１を設定する（ステップＳ１００）。すなわち、第１の差Ｄ１が第１の閾値Ｔ１以上である場合、処理部２２は、入力部１０から入力された第１の量Ａ１の端数処理を実行しない。
【００４９】
次に、処理部２２は、束ねられた状態の第２の量Ａ２の硬貨およびばらばらの状態の第３の量Ａ３の硬貨を出金部３０に出金させ（ステップＳ８０）、出金処理を終了する。
【００５０】
第１の差Ｄ１が第１の閾値Ｔ１以上でない場合（ステップＳ９０においてＮｏの場合）、処理部２２は、第２の量Ａ２に第４の量Ａ４から所定単位量Ａを減算した量を設定し、第３の量Ａ３に所定単位量Ａと第１の差Ｄ１との和を設定する（ステップＳ１１０）。すなわち、第１の差Ｄ１が第２の閾値Ｔ２未満である場合、処理部２２は、入力部１０から入力された第１の量Ａ１の端数処理を実行しない。
【００５１】
次に、処理部２２は、束ねられた状態の第２の量Ａ２の硬貨およびばらばらの状態の第３の量Ａ３の硬貨を出金部３０に出金させ（ステップＳ８０）、出金処理を終了する。
【００５２】
処理部２２は、以上説明した流れで出金処理を実行する。これにより、貨幣処理装置１００は、入力部１０に入力された第１の量Ａ１に応じて、適切に硬貨を出金することができる。
【００５３】
次に、入力部１０に第１の量Ａ１が入力されたとき、どのような量の硬貨が出金されるか、具体的な数値を例にあげて説明する。
【００５４】
まず、入力部１０に入力される第１の量Ａ１が１０５であり、所定単位量Ａが５０、第１の閾値Ｔ１が１０、第２の閾値Ｔ２が−１０である場合について説明する。
【００５５】
入力部１０に入力される第１の量Ａ１が１０５であるとき、１０５に最も近い所定単位量Ａの整数倍の量は５０の２倍の１００である。したがって、第１の量Ａ１が１０５であるとき、第４の量Ａ４は１００である。
【００５６】
第１の量Ａ１が１０５であり、第４の量Ａ４が１００である場合、第１の量Ａ１から第４の量Ａ４を減算した量は、５である。したがって、第１の量Ａ１が１０５であるとき、第１の差Ｄ１は５である。
【００５７】
第１の閾値Ｔ１が１０、第２の閾値Ｔ２が−１０であり、第１の差Ｄ１が５である場合、第１の差Ｄ１は、第１の閾値Ｔ１未満、かつ、第２の閾値Ｔ２以上である。したがって、処理部２２は、第２の量Ａ２に１００を設定し、第３の量Ａ３に０を設定する。
【００５８】
その結果、出金部３０は、５０枚ごと束ねられた硬貨の束を２束出金し、ばらばらの状態の硬貨を出金しない。すなわち、この場合、処理部２２は、入力部１０に入力された硬貨の枚数の端数処理を実行し、出金部３０は、端数処理によって算出された枚数の硬貨を出金する。
【００５９】
次に、入力部１０に入力される第１の量Ａ１が１２０であり、所定単位量Ａが５０、第１の閾値Ｔ１が１０、第２の閾値Ｔ２が−１０である場合について説明する。
【００６０】
入力部１０に入力される第１の量Ａ１が１２０であるとき、１２０に最も近い所定単位量Ａの整数倍の量は５０の２倍の１００である。したがって、第１の量Ａ１が１２０であるとき、第４の量Ａ４は１００である。
【００６１】
第１の量Ａ１が１２０であり、第４の量Ａ４が１００である場合、第１の量Ａ１から第４の量Ａ４を減算した量は、２０である。したがって、第１の量Ａ１が１２０であるとき、第１の差Ｄ１は２０である。
【００６２】
第１の閾値Ｔ１が１０、第２の閾値Ｔ２が−１０であり、第１の差Ｄ１が２０である場合、第１の差Ｄ１は、第１の閾値Ｔ１以上である。したがって、この場合、第２の量Ａ２に１００が設定され、第３の量Ａ３に２０が設定される。
【００６３】
その結果、出金部３０は、５０枚ごと束ねられた硬貨の束を２束出金し、ばらばらの状態の硬貨を２０枚出金する。すなわち、この場合、処理部２２は、端数処理を実行せず、出金部３０は、入力部１０に入力された枚数の硬貨を束ねられた状態またはばらばらの状態で出金する。
【００６４】
次に、入力部１０に入力される第１の量Ａ１が９５であり、所定単位量Ａが５０、第１の閾値Ｔ１が１０、第２の閾値Ｔ２が−１０である場合について説明する。
【００６５】
入力部１０に入力される第１の量Ａ１が９５であるとき、９５に最も近い所定単位量Ａの整数倍は５０の２倍の１００である。したがって、第１の量Ａ１が９５であるとき、第４の量Ａ４は１００である。
【００６６】
第１の量Ａ１が９５であり、第４の量Ａ４が１００である場合、第１の量Ａ１から第４の量Ａ４を減算した量は、−５である。したがって、第１の量Ａ１が９５であるとき、第１の差Ｄ１は−５である。
【００６７】
第１の閾値Ｔ１が１０、第２の閾値Ｔ２が−１０であり、第１の差Ｄ１が−５である場合、第１の差Ｄ１は、第１の閾値Ｔ１未満、かつ、第２の閾値Ｔ２以上である。したがって、この場合、第２の量Ａ２に１００が設定され、第３の量Ａ３に０が設定される。
【００６８】
その結果、出金部３０は、５０枚ごと束ねられた硬貨の束を２束出金し、ばらばらの状態の硬貨を出金しない。すなわち、この場合、処理部２２は、端数処理を実行し、出金部３０は、端数処理によって算出された枚数の硬貨を束ねられた状態で出金する。
【００６９】
次に、入力部１０に入力される第１の量Ａ１が８０であり、所定単位量Ａが５０、第１の閾値Ｔ１が１０、第２の閾値Ｔ２が−１０である場合について説明する。
【００７０】
入力部１０に入力される第１の量Ａ１が８０であるとき、第１の量Ａ１に最も近い所定単位量Ａの整数倍は１００である。したがって、第１の量Ａ１が８０であるとき、第４の量Ａ４は１００である。
【００７１】
第１の量Ａ１が８０であり、第４の量Ａ４が１００である場合、第１の量Ａ１から第４の量Ａ４を減算した量は、−２０である。したがって、第１の量Ａ１が８０であるとき、第１の差Ｄ１は−２０である。
【００７２】
第１の閾値Ｔ１が１０、第２の閾値Ｔ２が−１０であり、第１の差Ｄ１が−２０である場合、第１の差Ｄ１は、第２の閾値Ｔ２未満である。したがって、第２の量Ａ２には、第４の量Ａ４から所定単位量Ａを減算した５０が設定され、第３の量Ａ３には、所定単位量Ａと第１の差Ｄ１との和である３０が設定される。
【００７３】
その結果、出金部３０は、５０枚ごとに束ねられた硬貨の束を一束出金し、ばらばらの状態の硬貨を３０枚出金する。すなわち、この場合、処理部２２は、端数処理を実行せず、出金部３０は、入力部１０に入力された枚数の硬貨を束ねられた状態またはばらばらの状態で出金する。
【００７４】
以上説明したように、実施の形態１に係る出金処理では、処理部２２は、第１の差Ｄ１と第１の閾値Ｔ１および第２の閾値Ｔ２との比較を行い、所定の条件が満たされた場合に端数処理を実行する。したがって、貨幣処理装置１００は、入力部１０に入力される貨幣の枚数などに応じて、適切に貨幣を出金することができる。
【００７５】
また、出金処理において端数処理が実行された場合、出金部３０は、ばらばらの状態の硬貨を出金しない。この場合、出金部３０が出金した貨幣の運搬時における取り扱いが容易になる。
【００７６】
（実施の形態２）
次に、実施の形態２に係る貨幣処理装置１００で実行される出金処理の流れについて説明する。実施の形態２では、入力部１０に入力される貨幣の種類に応じて、第１のモードまたは第２のモードが設定される。
【００７７】
ここで、第１のモードは、所定の条件が満たされた場合に端数処理を実行して出金するモードである。
【００７８】
また、第２のモードは、端数処理を実行せずに出金するモードである。
【００７９】
図３は、実施の形態２に係る出金処理の流れを示すフローチャートである。
【００８０】
上述した実施の形態１に係る出金処理と同様、処理部２２は、例えば、入力部１０の所定の入力ボタンが操作されることにより、出金処理を開始する。
【００８１】
出金処理が開始されると、処理部２２は、硬貨の種類および第１の量Ａ１を示す情報を受け付ける受付処理を実行する（ステップＳ２１０）。
【００８２】
受付処理では、処理部２２は、例えば、タッチパネルで構成される入力部１０に硬貨の種類および枚数を入力可能な入力ボタンを表示させる。入力部１０において入力ボタンが操作されることにより、貨幣処理装置１００は、貨幣収納機に補充されるべき硬貨の種類および第１の量を示す情報を受け付けることができる。
【００８３】
次に、処理部２２は、所定単位量Ａの設定を行う（ステップＳ２２０）。処理部２２は、例えば、記憶部２１に記憶されている所定の値を読み出し、当該読み出した値を所定単位量Ａに設定する。
【００８４】
次に、処理部２２は、第４の量Ａ４を算出する（ステップＳ２３０）。
【００８５】
次に、処理部２２は、第１の差Ｄ１を算出する（ステップＳ２４０）。
【００８６】
次に、処理部２２は、モードの設定処理を行う（ステップＳ２５０）。モードの設定処理は、ステップＳ２１０において入力された硬貨の種類に基づいて決定される。入力部１０に入力された硬貨の種類が、例えば、１円硬貨、１０円硬貨、１００円硬貨である場合、処理部２２は、モードを第１のモードに設定する。また、入力部１０に入力された硬貨の種類が、例えば、５円硬貨、５０円硬貨、５００円硬貨である場合、処理部２２はモードを第２のモードに設定する。
【００８７】
次に、処理部２２は、設定されたモードが第１のモードであるか否かを判定する（Ｓ２６０）。
【００８８】
設定されたモードが第１のモードである場合（ステップＳ２６０においてＹｅｓの場合）、処理部２２は、第１の閾値Ｔ１および第２の閾値Ｔ２を設定する（ステップＳ２７０）。処理部２２は、例えば、記憶部２１に記憶されている所定の設定値を読み出し、当該読み出した設定値を第１の閾値Ｔ１および第２の閾値Ｔ２に設定する。
【００８９】
次に、処理部２２は、ステップＳ２８０の処理を実行する。なお、ステップＳ２８０〜ステップＳ３３０の処理は、実施の形態１に係る出金処理のステップＳ６０〜ステップＳ１１０の処理と同じ処理である。すなわち、実施の形態２に係る出金処理において第１のモードが設定された場合、処理部２２は、実施の形態１に係る出金処理と同じ処理を実行する。
【００９０】
設定されたモードが第２のモードである場合（ステップＳ２６０においてＮｏの場合）、処理部２２は、第１の量Ａ１が第４の量Ａ４以上であるか否かを判定する（ステップＳ３４０）。
【００９１】
第１の量Ａ１が第４の量Ａ４以上である場合（ステップＳ３４０においてＹｅｓの場合）、処理部２２は、第２の量Ａ２に第４の量Ａ４を設定し、第３の量Ａ３に第１の差を設定する（ステップＳ３５０）。
【００９２】
次に、処理部２２は、束ねられた状態の第２の量Ａ２の硬貨と、ばらばらの状態の第３の量Ａ３の硬貨とを出金部３０に出金させ（ステップＳ３００）、出金処理を終了する。
【００９３】
第１の量Ａ１が第４の量Ａ４未満である場合（ステップＳ３４０においてＮｏの場合）、処理部２２は、第２の量Ａ２に第４の量Ａ４から所定単位量Ａを減算した量を設定し、第３の量Ａ３に所定単位量Ａと第１の差Ｄ１との和を設定する。
【００９４】
次に、処理部２２は、束ねられた状態の第２の量Ａ２の硬貨と、ばらばらの状態の第３の量Ａ３の硬貨とを出金部３０に出金させ（ステップＳ３００）、出金処理を終了する。
【００９５】
以上説明したように、実施の形態２に係る出金処理では、入力部１０に入力された硬貨の種類に基づいて、第１のモードまたは第２のモードが設定される。
【００９６】
第１のモードが設定された場合、実施の形態１に係る出金処理と同様の出金処理が実行される。すなわち、処理部２２は、第１の差Ｄ１と第１の閾値Ｔ１および第２の閾値Ｔ２とを比較し、所定の条件が満たされた場合に端数処理を実行する。
【００９７】
一方、第２のモードが設定された場合、処理部２２は、第１の差Ｄ１の大きさにかかわらず、端数処理を実行せず、入力部１０に入力された第１の量Ａ１の硬貨をばらばらの状態または束ねられた状態で出金部３０に出金させる。
【００９８】
例えば、第１の量Ａ１が９５、所定単位量Ａが５０、第１の閾値Ｔ１が１０、第２の閾値Ｔ２が−１０であり、第１のモードが設定される場合、処理部２２は端数処理を実行する。そのため、出金部３０は、束ねられた状態の第２の量Ａ２の硬貨を出金し、ばらばらの状態の硬貨を出金しない。
【００９９】
一方、第１の量Ａ１が９５、所定単位量Ａが５０、第１の閾値Ｔ１が１０、第２の閾値Ｔ２が−１０であり、第２のモードが設定される場合、処理部２２は端数処理を実行しない。そのため、出金部３０は、束ねられた状態の第２の量Ａ２の硬貨とばらばらの状態の第３の量Ａ３の硬貨を出金する。
【０１００】
すなわち、実施の形態２に係る出金処理では、硬貨の種類に応じて設定されるモードに基づいて、硬貨の出金処理を適切に実行することができる。
【０１０１】
（実施の形態３）
次に、実施の形態３に係る貨幣処理装置１００で実行される出金処理の流れについて説明する。実施の形態３では、入力部１０がモードの選択操作を受け付け、処理部２２が選択されたモード応じて、第１のモードまたは第２のモードを設定する。
【０１０２】
図４は、実施の形態３に係る出金処理の流れを示すフローチャートである。
【０１０３】
処理部２２は、例えば、入力部１０の所定の入力ボタンが操作されることにより、出金処理を開始する。
【０１０４】
出金処理が開始されると、処理部２２は、硬貨の種類および第１の量Ａ１を示す情報を受け付ける受付処理を実行する（ステップＳ４１０）。
【０１０５】
受付処理では、処理部２２は、例えば、タッチパネルで構成される入力部１０に硬貨の種類および枚数を入力可能な入力ボタンを表示させる。入力部１０において入力ボタンが操作されることにより、貨幣処理装置１００は、貨幣収納機に補充されるべき硬貨の種類および第１の量Ａ１を示す情報を受け付けることができる。
【０１０６】
また、受付処理では、モードの選択操作を受け付ける。処理部２２は、例えば、入力部１０にモード選択ボタンを表示させ、モードの選択操作を受け付ける。
【０１０７】
次に、処理部２２は、所定単位量Ａの設定を行う（ステップＳ４２０）。処理部２２は、例えば、記憶部２１に記憶されている所定の値を読み出し、当該読み出した値を所定単位量Ａに設定する。
【０１０８】
次に、処理部２２は、第４の量Ａ４を算出する（ステップＳ４３０）。
【０１０９】
次に、処理部２２は、第１の差Ｄ１を算出する（ステップＳ４４０）。
【０１１０】
次に、処理部２２は、モードの設定処理を行う（ステップＳ４５０）。処理部２２は、ステップＳ４１０において選択されたモードに基づいて、第１のモードまたは第２のモードを設定する。
【０１１１】
次に、処理部２２は、設定されたモードが第１のモードであるか否かを判定する（Ｓ４６０）。
【０１１２】
設定されたモードが第１のモードである場合（ステップＳ４６０においてＹｅｓの場合）、処理部２２は、第１の閾値Ｔ１および第２の閾値Ｔ２を設定する（ステップ４７０）。処理部２２は、例えば、記憶部２１に記憶されている所定の設定値を読み出し、当該読み出した設定値を第１の閾値Ｔ１および第２の閾値Ｔ２に設定する。
【０１１３】
次に、処理部２２は、ステップＳ４８０の処理を実行する。なお、ステップＳ４８０〜ステップＳ５３０の処理は、実施の形態１に係る出金処理のステップＳ６０〜ステップＳ１１０の処理と同じ処理である。すなわち、実施の形態３に係る出金処理において第１のモードが設定された場合、処理部２２は、実施の形態１に係る出金処理と同じ処理を実行する。この場合、処理部２２は、第１の差Ｄ１と第１の閾値Ｔ１および第２の閾値Ｔ２とを比較し、所定の条件が満たされた場合に端数処理を実行する。
【０１１４】
設定されたモードが第２のモードである場合（ステップＳ４６０においてＮｏの場合）、処理部２２は、第１の量Ａ１が第４の量Ａ４以上であるか否かを判定する（ステップＳ５４０）。
【０１１５】
第１の量Ａ１が第４の量Ａ４以上である場合（ステップＳ５４０においてＹｅｓの場合）、処理部２２は、第２の量Ａ２に第４の量Ａ４を設定し、第３の量Ａ３に第１の差を設定する（ステップＳ５５０）。
【０１１６】
次に、処理部２２は、束ねられた状態の第２の量Ａ２の硬貨と、ばらばらの状態の第３の量Ａ３の硬貨とを出金部３０に出金させ（ステップＳ５００）、出金処理を終了する。
【０１１７】
第１の量Ａ１が第４の量Ａ４未満である場合（ステップＳ５４０においてＮｏの場合）、処理部２２は、第２の量Ａ２に第４の量Ａ４から所定単位量Ａを減算した量を設定し、第３の量Ａ３に所定単位量Ａと第１の差Ｄ１との和を設定する（ステップＳ５６０）。
【０１１８】
次に、処理部２２は、束ねられた状態の第２の量Ａ２の硬貨と、ばらばらの状態の第３の量Ａ３の硬貨とを出金部３０に出金させ（ステップＳ５００）、出金処理を終了する。
【０１１９】
以上説明したように、実施の形態３に係る出金処理では、処理部２２は、入力部１０において選択されたモードに基づいて、第１のモードまたは第２のモードを設定する。
【０１２０】
第１のモードが設定された場合、処理部２２は、実施の形態１に係る出金処理と同様の処理を行う。すなわち、処理部２２は、第１の差Ｄ１と第１の閾値Ｔ１および第２の閾値Ｔ２とを比較し、所定の条件が満たされた場合に端数処理を実行する。
【０１２１】
一方、第２のモードが設定された場合、処理部２２は、第１の差Ｄ１の大きさにかかわらず、端数処理を実行せず、入力部１０に入力された第１の量Ａ１の硬貨を出金部３０に出金させる。
【０１２２】
すなわち、実施の形態３に係る出金処理では、入力部１０において選択されたモードに基づいて、硬貨の出金処理を適切に実行することができる。
【０１２３】
上述した実施の形態１〜３に係る貨幣処理装置１００は、出金部３０がばらばらの状態の硬貨を出金できる状態であるか否かにかかわらず、上述の出金処理を実行する。換言すれば、出金部３０がばらばらの状態の硬貨を出金できる状態であっても、所定の条件が満たされた場合、出金部３０は、束ねられた状態の硬貨のみを出金する。
【０１２４】
なお、上述した実施の形態１〜３に係る貨幣処理装置１００おいて、入力部１０に入力される第１の量Ａ１と出金部３０から出金される硬貨の量とが異なる場合、第１の量Ａ１と出金部３０から出金される硬貨の量とが異なることを通知する通知部を設けてもよい。例えば、通知部は、タッチパネルで構成される入力部１０の表示画面に、第１の量Ａ１と出金部３０から出金される硬貨の量とが異なることを表示させる。
【０１２５】
これにより、通知部は、出金処理において端数処理が実行されたことを貨幣処理装置１００の操作者に通知することができる。
【０１２６】
さらに、通知部は、入力部１０に入力される第１の量Ａ１と出金部３０から出金される硬貨の量とが異なる場合、第１の量Ａ１と出金部３０から出金される硬貨の量との差の量を通知してもよい。
【０１２７】
この場合、貨幣処理装置１００は、操作者に、出金処理において端数処理が実行されること、および、第１の量Ａ１と出金部３０から出金される硬貨の量との差を認識させることができる。
【０１２８】
また、通知部は、出金部３０から出金される硬貨の量が入力部１０に入力される第１の量Ａ１よりも多い場合、第１の量Ａ１と出金部３０から出金される硬貨の量との差の量の硬貨を他の貨幣処理装置に返却すべきことを通知してもよい。換言すれば、第１の差Ｄ１が０よりも小さく第２の閾値Ｔ２以上である場合、通知部は、第１の差Ｄ１の絶対値の量の硬貨を他の貨幣処理装置に返却すべきことを通知してもよい。
【０１２９】
これにより、貨幣処理装置１００は、第１の量Ａ１の硬貨よりも多くの硬貨が出金部３０から出金されることを操作者に認識させ、第１の量Ａ１の硬貨と出金部３０から出金される硬貨との差分を他の貨幣処理装置に返却させることができる。
【０１３０】
また、上述した実施の形態１〜３では、入力部１０および制御部２０と、出金部３０とを一の貨幣処理装置１００が有する構成とした。しかし、入力部１０および制御部２０を有する装置と、出金部３０を有する装置とを別の装置で構成してもよい。
【０１３１】
すなわち、処理装置が、入力部１０、制御部２０、および、制御部２０において実行された処理結果を出力する出力部を有し、出金装置が、処理装置の出力部から出力された情報に基づいて硬貨を出金する出金部３０を有するシステムとしてもよい。
【０１３２】
この場合、出金装置は、第２の量の硬貨を所定単位量毎に束ねられた状態で出金する第１の出金装置と、第３の量の硬貨をばらばらな状態で出金する第２の出金装置を備えていてもよい。
【０１３３】
また、上述した実施の形態では、入力部１０に硬貨の種類および枚数が入力される構成としたが、入力部１０に硬貨の種類および金額が入力される構成としてもよい。
【産業上の利用可能性】
【０１３４】
本発明は、貨幣処理装置、貨幣処理システム、および、貨幣処理方法に広く利用可能である。
【符号の説明】
【０１３５】
１０  入力部
２０  制御部
２１  記憶部
２２  処理部
３０  出金部
１００  貨幣処理装置
【図１】
2019200476.tif 000003
【図２】
2019200476.tif 000004
【図３】
2019200476.tif 000005
【図４】
2019200476.tif 000006